(57)【特許請求の範囲】
【請求項１】
スクイズ変形可能な有底筒体の把持し易い箇所に押圧操作部(3)を形成した胴部(2)の上端に、口筒部(4)を起立連設した容器本体(1)と、該容器本体(1)内に、少なくとも前記押圧操作部(3)に対向する位置まで挿入され、上端部である嵌着筒部(6)で前記口筒部(4)に嵌入固定し、前記胴部(2)上端部に対向して窓孔(9)を開口させると共に、前記嵌着筒部(6)の内周面に内鍔状に設けた組付けフランジ(7)に組付いて構成される、前記容器本体(1)内の正圧により、変位して“開”状態となり、前記容器本体(1)内の正圧の消滅により、復帰して内容液に対して通過を規制する“閉”状態となり、前記容器本体(1)内の負圧により、外気を規制しながら吸引させる弁機能部分を、前記嵌着筒部(6)に設けた、筒形状のスクイズ変形し難い規制筒体(5)と、前記口筒部(4)に外装組付きして、該口筒部(4)を開閉するキャップ体(20)と、から成る液体注出容器。
【請求項２】
弁機能部分を、規制筒体(5)の嵌着筒部(6)に内鍔状に設けた組付きフランジ(7)と、前記嵌着筒部(6)内に嵌着する組付き筒部(12)に、前記組付けフランジ(7)上に位置する３点支持弁構造の弁片部(13)を連結し、該弁片部(13)の中央に、内部にボール弁(17)を離脱不能に組付けると共に、上端開口部に弁座面を設けた通気用弁筒片(16)を一体設した弾性材料製弁体(11)と、から構成した請求項１に記載の液体注出容器。
【請求項３】
弁機能部分を、規制筒体(5)の嵌着筒部(6)に内鍔状に設けられ、通口(14)を開設した組付けフランジ(7)と、該組付けフランジ(7)の内周端に連設され、内部にボール弁(17)を離脱不能に組付けると共に、上端開口部に弁座面を設けた通気用弁筒片(16)と、前記組付けフランジ(7)上に、リング板状の弁片部(13)を前記通口(14)に対向させて組付け固定された弾性材料製弁体(11)と、から構成した請求項１に記載の液体注出容器。
【請求項４】
弁機能部分を、規制筒体(5)の嵌着筒部(6)の組付けフランジ(7)に周端部を密に組付け、前記嵌着筒部(6)の上端開口部を塞ぐ形態で組付け固定された球弧殻状の弁片部(13)に、切れ目(15)を設けた弾性材料製弁体(11)で構成した請求項１に記載の液体注出容器。
【請求項５】
押圧操作部(3)を、規制筒体(5)を挟んで対向する箇所に、湾曲陥没した球弧殻状に設けた請求項１または２または３または４に記載の液体注出容器。
【請求項６】
押圧操作部(3)を、上下に分けて複数組み設けた請求項１または２または３または４または５に記載の液体注出容器。
【請求項７】
複数組み設けた押圧操作部(3)と規制筒体(5)との間の間隔を、各押圧操作部(3)別に異なる値に設定した請求項６に記載の液体注出容器。
【請求項８】
複数組み設けた押圧操作部(3)の湾曲陥没深さを、各組み別に異なる値に設定して、前記各押圧操作部(3)と規制筒体(5)との間の間隔を異なる値に設定した請求項７に記載の液体注出容器。
【請求項９】
規制筒体(5)の太さを、複数組み設けた各押圧操作部(3)に対向する部分別に異なる値に設定して、前記各押圧操作部(3)と規制筒体(5)との間の間隔を異なる値に設定した請求項７に記載の液体注出容器。
【請求項１０】
キャップ体(20)を、容器本体(1)の口筒部(4)に密に外装組付きすると共に、頂板に注出口(22)を開口した有頂円筒状のキャップ本体(21)と、該キャップ本体(21)にヒンジ(25)によりヒンジ結合され、前記注出口(22)に密嵌入する栓片(24)を有する蓋板体(23)とから構成した請求項１または２または３または４または５または６または７または８または９に記載の液体注出容器。
【発明の詳細な説明】
【０００１】
【産業上の利用分野】
本発明は、スクイズ性を利用して内容液を注出する合成樹脂製壜容器に関するものである。
【０００２】
【従来の技術】
胴部を把持した指先での押圧により、この胴部をスクイズ変形させてシャンプーやリンス等の内容液を注出する合成樹脂製の液体注出壜容器が知られている。このスクイズ性を有する液体注出容器は、小さな注出口を有するキャップまたは中栓を容器本体の口筒部に組付け、容器本体を略倒立させた状態で、容器本体の胴部を押圧してスクイズ変形させ、この胴部のスクイズ変形により容器本体内に発生する正圧によって、内容液を注出口から整流状態で注出し、注出する内容液の量は、胴部に対する押圧操作に従ったスクイズ変形量により調整されるものとなっている。
【０００３】
【発明が解決しようとする課題】
従来のスクイズ性を利用した液体注出容器は、内容液の注出操作が簡単で、その取扱いが容易であると云う利点を持っているのであるが、胴部に対する指先での押圧程度を一定化させることが困難であるため、一回の注出操作による内容液の注出量が一定せず、注出操作の度に使用する内容液の過不足が発生する場合が多いと云う問題があった。
【０００４】
また、容器が転倒した場合とか、内容液注出後、容器を略倒立させた状態のまま、胴部に対する押圧力を解除した場合には、内容液の漏れ出しが発生すると云う問題があり、特に注出操作後における液切れが悪いと云う問題があった。
【０００５】
一回の注出操作による内容液の注出量を一定化する手段としては、注出ポンプを組付けた容器が利用されているが、この種の容器は、高価な注出ポンプを必要とするので、その分、容器の価格が高くなるだけではなく、携帯が不可能となると云う新たな問題が生じるものとなっていた。
【０００６】
そこで、本発明は、上記した従来技術における問題点を解消すべく創案されたもので、スクイズ変形を利用した内容液の注出において、一回の注出操作による内容液の注出量を定量化させることを技術的課題とし、もって内容液の好適な使用状況を得ると共に、容器の快適な使用状態を得ることを目的とする。
【０００７】
【課題を解決するための手段】
上記技術的課題を解決する本発明の手段は、
スクイズ変形可能な有底筒体の把持し易い箇所に押圧操作部を形成した胴部の上端に、口筒部を起立連設した容器本体を有すること、
この容器本体内に、少なくとも容器本体の押圧操作部に対向する位置まで挿入され、上端部である嵌着筒部で容器本体の口筒部に嵌入固定し、容器本体の胴部上端部に対向して窓孔を開口させると共に、嵌着筒部の内周面に内鍔状に設けた組付けフランジに組付いて構成される、容器本体内の正圧により、変位して“開”状態となり、容器本体内の正圧の消滅により、復帰して内容液に対して通過を規制する“閉”状態となり、容器本体内の負圧により、外気を規制しながら吸引させる弁機能部分を、嵌着筒部に設けた、筒形状のスクイズ変形し難い規制筒体を有すること、
容器本体の口筒部に外装組付きして、この口筒部を開閉するキャップ体を有すること、
にある。
【０００８】
請求項２ないし４に記載の発明は、請求項１に記載の発明の構成のうち、規制筒体に設ける弁機能部分を、規制筒体の嵌着筒部に内鍔状に設けた組付けフランジと、規制筒体の嵌着筒部内に嵌着する組付き筒部に、組付けフランジ上に位置する３点支持弁構造の弁片部を連結し、この弁片部の中央に、内部にボール弁を離脱不能に組付けると共に、上端開口部に弁座面を設けた通気用弁筒片を一体設した弾性材料製弁体と、から、または規制筒体の嵌着筒部に内鍔状に設けられ、通口を開設した組付けフランジと、この組付けフランジの内周端に連設され、内部にボール弁を離脱不能に組付けると共に、上端開口部に弁座面を設けた通気用弁筒片と、組付けフランジ上に、リング板状の弁片部を組付けフランジの通口に対向させて組付け固定された弾性材料製弁体と、から、さらには規制筒体の嵌着筒部の組付けフランジに周端部を密に組付け、嵌着筒部の上端開口部を塞ぐ形態で組付け固定された球弧殻状の弁片部に、切れ目を設けた弾性材料製弁体で構成したものである。
【０００９】
請求項５および６に記載の発明は、請求項１に記載の発明の構成のうち、容器本体の胴部に形成した押圧操作部を、規制筒体を挟んで対向する箇所に、湾曲陥没した球弧殻状に設けた構成とし、また上下に分けて複数組み設けて構成したものである。
【００１０】
請求項７に記載の発明は、請求項６に記載の発明において、複数組み設けた押圧操作部と規制筒体との間の間隔を、各押圧操作部別に異なる値に設定したものである。
【００１１】
請求項８および９に記載の発明は、請求項７に記載の発明の具体的な手段として、複数組み設けた押圧操作部の湾曲陥没深さを、各組み別に異なる値に設定して、各押圧操作部と規制筒体との間の間隔を異なる値に設定する構成、または規制筒体の太さを、複数組み設けた押圧操作部に対向する部分別に異なる値に設定して、各押圧操作部と規制筒体との間の間隔を異なる値に設定する構成としたものである。
【００１２】
請求項１０に記載の発明は、請求項１に記載の発明の構成のうち、キャップ体を、容器本体の口筒部に密に外装組付きすると共に、頂板に注出口を開口した有頂円筒状のキャップ本体と、このキャップ本体にヒンジによりヒンジ結合され、キャップ本体の注出口に密嵌入する栓片を有する蓋板体と、から構成したものである。
【００１３】
【作用】
請求項１に記載の発明は、キャップ体を開放し、かつ容器本体を略倒立させた状態で、容器本体の胴部の押圧操作部を指先で押圧して、この押圧操作部が規制筒体に突き当たるまで容器本体の胴部をスクイズ変形させ、この胴部のスクイズ変形による容器本体内の内圧の正圧化により、弁機能部分を“開”状態にして容器本体内の内容液を注出する。
【００１４】
この内容液の注出動作時において、容器本体の胴部のスクイズ変形は、押圧操作部が規制筒体に突き当たる状態で規制され、かつ規制筒体はスクイズ変形し難いものであるので、容器本体の胴部のスクイズ変形量は、押圧操作部を規制筒体に突き当たるまで押圧することにより略一定値となり、これにより押圧操作部を規制筒体に突き当たるまで押圧する一回の操作による内容液の注出量は、略一定値となり、定量注出動作を得ることができる。
【００１５】
注出操作完了後は、容器本体内の正圧が消滅するので、弁機能部分は内容液の通過を規制する状態となり、これにより例え容器本体が倒立状態であっても、内容液の液垂れの発生をなくすと共に、良好な液切れを達成する。
【００１６】
また、注出操作完了後は、容器本体内に発生した負圧により、弁機能部分に規制されながらも、外気が弁機能部分を通過して容器本体内に吸引され、容器本体内の負圧を消滅させ、次の注出に備えることになる。
【００１７】
容器が安置された状態では、弁機能部分が“閉”状態となっているので、例え容器本体が転倒しても、内容液が不正に漏出することがなく、容器本体の閉鎖状態を保持することになる。
【００１８】
なお、内容液が少なくなった状態では、容器本体の倒立姿勢で、内容液は規制筒体の窓孔を通って規制筒体内に侵入して弁機能部分に到達することができるので、内容液は最後まで注出されることになる。
【００１９】
請求項２と３に記載の発明は、請求項１に記載の発明の弁機能部分に、内容液注出のための専用の弁部分と、外気吸引のための専用の弁部分とを設けたので、円滑で良好な内容液注出動作と外気吸引動作とを発揮する。
【００２０】
請求項４に記載の発明は、請求項１に記載の発明の弁機能部分を、一つの弁体で構成したので、弁機能部分の全体構成が簡単となる。
【００２１】
請求項５に記載の発明は、請求項１に記載の発明の押圧操作部を陥没構造としたので、押圧操作部の位置の認識が容易となり、また押圧操作部と規制筒体との間の間隔を、容器本体の胴部の平断面形状に制限されることなく、所望値に設定することが可能となる。
【００２２】
請求項６に記載の発明は、請求項１に記載の発明の押圧操作部を複数組みとしたので、内容液注出操作時における容器本体の把持処理の自由度が高くなる。
【００２３】
請求項７に記載の発明は、請求項１に記載の発明の押圧操作部を、請求項６に記載の発明のように複数組み設け、各押圧操作部と規制筒体との間の間隔を異なる値としたので、各押圧操作部別に胴部のスクイズ変形量、すなわち内容液の注出量を異なる一定値に設定することができ、これにより一回の定量注出量を選択することが可能となる。
【００２４】
請求項１０に記載の発明は、請求項１に記載の発明のキャップ体をヒンジキャップ構造としたので、容器本体の開閉取扱いが容易となり、キャップ本体に注出口を設けたので、内容液の注出の方向性が良くなると共に、内容液の注出形態が安定する。
【００２５】
【実施例】
以下、本発明の実施例を、図１ないし図８を参照しながら説明する。
図１は、右半分を縦断した全体図を示すもので、容器本体１は、ポリエチレン樹脂とか塩化ビニール樹脂等の比較的軟質な合成樹脂材料により壜体状にブロー成形され、スクイズ変形可能な有底筒形状となった胴部２の上端に、外周面に螺条を刻設した口筒部４を起立連設して構成されている。
【００２６】
胴部２の中央部から上部にかけての把持し易い箇所には、上位に湾曲陥没程度の大きい第一の押圧操作部３を対向形成し、下位に湾曲陥没程度の小さい第二の押圧操作部３を対向形成している。
【００２７】
上端部を、口筒部４内に嵌入固着させる嵌着筒部６とした規制筒体５は、嵌着筒部６の上端縁に、口筒部４の上端面に搭載して、規制筒体５の容器本体１内への挿入組付け限を設定する外鍔片８を周設し、下端部を、第二の押圧操作部３に対向させる長さの円筒形状をしており、容器本体１に挿入組付けされた状態で、対となった押圧操作部３間に位置しており、容器本体１の胴部２と口筒部４との境界部分を含む胴部２の上端部に対向する箇所に、内容液の通過が自在な窓孔９を開設している。
【００２８】
キャップ体２０は、口筒部４に外装して密に螺合する有頂円筒形状体の頂板中央に注出口２２を開設したキャップ本体２１と、このキャップ本体２１にヒンジ２５によりヒンジ結合され、下面中央に、注出口２２に密嵌入する栓片２４を垂下設した蓋板体２３とから構成されている。
【００２９】
図１および図２図示実施例における弁機能部分は、規制筒体５の嵌着筒部６に内鍔状に設けた組付けフランジ７と、嵌着筒部６内に嵌着する短円筒片状の組付き筒部１２に、組付きフランジ７上に位置する３点支持弁構造の弁片部１３を連設し、この弁片部１３の中央に、内部にボール弁１７を離脱不能に組付けると共に、上端開口部にボール弁１７に対する弁座面を形成した通気用弁筒片１６を一体設した弾性材料製の弁体１１（図３参照）と、から構成されている。
【００３０】
この図１図示実施例のものにあっては、図２に示すように、キャップ体２０を開放し、容器本体１を略倒立させた状態で、押圧操作部３を規制筒体５に突き当たるまで押圧することにより、内容液の定量注出を達成する。
【００３１】
すなわち、押圧操作部３の押圧に伴う胴部２のスクイズ変形により容器本体１内に発生した正圧により弁体１１の弁片部１３が組付けフランジ７上面から押し上げられ、この押し上げ変位により弁片部１３に内容液の通過口が開口形成されて、内容液の定量注出が達成されるが、この際、ボール弁１７は容器本体１内の正圧により弁座面に押し付けられているので、通気用弁筒片１６が形成している通路を閉鎖するため、内容液は弁片部１３に形成される通過口だけを通って注出されることになる。
【００３２】
図１および図２図示実施例の場合、両押圧操作部３に対向する規制筒体５部分の外径は等しく、かつ第一の押圧操作部３に比べて第二の押圧操作部３の湾曲陥没程度が小さいので、規制筒体５との間の間隔は、第一の押圧操作部３に比べて第二の押圧操作部３の方が大きく、それゆえ規制筒体５に突き当たるので押圧操作した場合には、第一の押圧操作部３に比べて第二の押圧操作部３の方が大きい定量注出となる。
【００３３】
図４は、弁機能部分の別の構成例を示すもので、弁機能部分は、規制筒体５の嵌着筒部に内鍔状に設けられ、通口１４を開設した組付けフランジ７と、この組付けフランジ７の内周端に連設され、内部にボール弁１７を離脱不能に組付けると共に、上端開口部にボール弁１７に対する弁座面を形成した通気用弁筒片１６と、組付けフランジ７上に、リング板状の弁片部１３を通口１４に対向させて組付けた弾性材料製の弁体１１（図５参照）と、から構成されている。
【００３４】
この図４図示実施例の弁体１１は、通気用弁筒片１６と一体に起立設した取付け筒片１８に外嵌固定される組付き筒片１９の外周面上端部から、外方に下降傾斜した肉薄テーパーリング板状の弁片部１３を一体設して構成され、この弁分部１３の外周端縁は、嵌着筒部６の内周面上部に形成された弁座段部１０に密に弾接している。
【００３５】
この図４に示した弁機能部分の実施例は、図１に示した弁機能部分の実施例に比べて、規制筒体５の構造が複雑となるものの、弁体１１単体の構造は遙に簡単となる。
【００３６】
図６は、弁機能部分のさらに別の構成例を示すもので、弁機能部分は、規制筒体５の嵌着筒部６の上端開口部を塞ぐ形態で組付け固定される球弧殻状の弁片部１３に、十字状の切れ目１５を設けた弾性材料製の弁体１１（図７参照）単体で構成されている。
【００３７】
この図６図示実施例の弁体１１は、規制筒体５の嵌着筒部６の内周面上端部に屈曲成形された組付けフランジ７が形成する周溝に嵌合固定する短円筒形状の組付き筒部１２の上端縁から、中央部分に十字状の切れ目１５を切断形成した球弧殻状の弁片部１３を連設して構成され、弁片部１３の弾性変形に伴って十字状の切れ目１５が形成する開口部を通して内容液の注出と外気の吸引とを別個に達成する。
【００３８】
図８は、第一および第二の押圧操作部３と規制筒体５との間の間隔を異なる値に設定する他の構成手段を示すもので、規制筒体５の第一の押圧操作部３に対向する部分の外径と、第二の押圧操作部３に対向する部分の外径とを異なる値に設定したもので、図８の場合は、規制筒体５の外径寸法設定手段と押圧操作部３の陥没寸法設定手段とを併用した構成となっており、このため第一の押圧操作部３における定量注出量と第二の押圧操作部３における定量注出量とは、大きく相違することになる。
【００３９】
なお、図８に示した弁機能部分は、図４図示実施例の弁機能部分の変形例であって、規制筒体５への組付きのための組付き筒部１２と、組付けフランジ７と、通気用弁筒片１６と、取付け筒片１８とを、規制筒体５とは別個に成形し、規制筒体５の構造を簡略化させている。
【００４０】
【発明の効果】
本発明は、上記した構成となっているので、以下に示す効果を奏する。
内容液を注出するための胴部のスクイズ変形量の上限が、規制筒体により略一定に規制されるので、一回の注出操作による内容液の注出量を略一定量に設定することができ、もって従来通りの簡単な押圧操作により内容液の定量注出を確実に得ることができ、内容液の適正を使用を得ることができる。
【００４１】
弁機能部分を設けたので、内容液の液漏れ、液垂れを確実に防止することができると共に、良好な液切れを得ることができ、もって良好な使用形態と使用状況を得ることができる。
【００４２】
規制筒体および弁機能部分は、その全てが容器本体内に収納される状態となるので、従来の液体注出容器と同様に携帯利用することができ、もって携帯先でも内容液を適正に使用できると共に、安全を携帯状態を得ることができる。
【００４３】
請求項２ないし４に記載の発明にあっては、弁機能部分の構成が簡単であるので、容器の製造コストを含めた製造単価の低減化を達成できる。
【００４４】
請求項５に記載の発明にあっては、容器本体の胴部のスクイズ変形を安定して一定した状態とすることができる。
【００４５】
請求項６ないし９に記載の発明にあっては、一回の注出操作による定量注出の量を段階的に異なる値に設定することができ、もって必要に応じて、異なる量の定量注出を選択することができる。
【００４６】
請求項１０に記載の発明にあっては、容器本体の開閉が容易となると共に、注出内容液の注出状態を、安定して良好なものとすることができる。
【図面の簡単な説明】
【図１】本発明の一実施例を示す、右半分を縦断した全体図。
【図２】図１に示した実施例の、内容液注出状態を示す半断面図。
【図３】図１に示した実施例の弁体を示す、弁体の全体斜視図。
【図４】弁機能部分の他の実施例を示す、右半縦断した部分図。
【図５】図４に示した実施例の弁体を示す、弁体の全体斜視図。
【図６】弁機能部分のさらに他の実施例を示す、右半縦断した部分図。
【図７】図６に示した実施例の弁体を示す、弁体の全体斜視図。
【図８】規制筒体の他の実施例を示す、右半縦断面図。
【符号の説明】
１  ；  容器本体                  ２  ；  胴部
３  ；  押圧操作部                ４  ；  口筒部
５  ；  規制筒体                  ６  ；  嵌着筒部
７  ；  組付けフランジ            ８  ；  外鍔片
９  ；  窓孔                      １０；  弁座段部
１１；  弁体                      １２；  組付き筒部
１３；  弁片部                    １４；  通口
１５；  切れ目                    １６；  通気用弁筒片
１７；  ボール弁                  １８；  取付け筒片
１９；  取付き筒片                ２０；  キャップ体
２１；  キャップ本体              ２２；  注出口
２３；  蓋板体                    ２４；  栓片
２５；  ヒンジ
【図１】
0003577533.tif 000002
【図２】
0003577533.tif 000003
【図３】
0003577533.tif 000004
【図４】
0003577533.tif 000005
【図５】
0003577533.tif 000006
【図６】
0003577533.tif 000007
【図７】
0003577533.tif 000008
【図８】
0003577533.tif 000009